(57)【要約】  再生装置（２）は、第１の通信方式で端末装置（２６）と通信し、音楽データ及び当該音楽データの属性を示す音楽情報を端末装置（２６）から受信する第１の通信部（１０）と、第１の通信部（１０）で受信した音楽情報を記憶する音楽情報記憶部（１２）と、第１の通信部（１０）で受信した音楽データを再生する音楽再生部（１４）と、音楽情報に基づいて、音楽データに関連する情報を検索するための検索データを生成する検索処理部（１６）と、第１の通信方式とは異なる第２の通信方式でネットワークを介して通信し、検索データを送信し、検索データに応じた検索結果を受信する第２の通信部（１８）とを備える。検索処理部（１６）は、第２の通信部（１８）で受信した検索結果を出力する。
2020183749.tif 000002
【特許請求の範囲】
【請求項１】
音楽データを再生するための再生装置であって、
第１の通信方式で外部機器と通信する第１の通信部であって、前記音楽データ及び当該音楽データの属性を示す音楽情報を前記外部機器から受信する第１の通信部と、
前記第１の通信部で受信した前記音楽情報を記憶する音楽情報記憶部と、
前記第１の通信部で受信した前記音楽データを再生する音楽再生部と、
前記音楽情報に基づいて、前記音楽データに関連する情報を検索するための検索データを生成する検索データ生成部と、
前記第１の通信方式とは異なる第２の通信方式でネットワークを介して通信する第２の通信部であって、前記検索データを送信し、前記検索データに応じた検索結果を受信する第２の通信部と、
前記第２の通信部で受信した前記検索結果を出力する検索結果出力部と、を備える
再生装置。
【請求項２】
前記検索結果出力部は、前記検索結果を表示部に出力して表示させる
請求項１に記載の再生装置。
【請求項３】
前記検索データは、前記音楽データに関連する動画データを検索するためのデータであり、
前記検索結果は、前記動画データの属性を示す動画情報を含み、
前記第２の通信部は、前記検索結果に含まれる前記動画情報に対応する前記動画データをサーバ装置から受信し、
前記再生装置は、さらに、前記第２の通信部で受信した前記動画データを再生して前記表示部に表示させる動画再生部を備える
請求項２に記載の再生装置。
【請求項４】
前記再生装置は、さらに、ユーザの操作を受け付ける受付部を備え、
前記表示部に表示された前記検索結果のうち前記受付部により特定の動画情報を選択する操作が受け付けられた際に、前記第２の通信部は、前記特定の動画情報に対応する特定の動画データを前記サーバ装置から受信し、
前記動画再生部は、前記第２の通信部で受信した前記特定の動画データを再生して前記表示部に表示させる
請求項３に記載の再生装置。
【請求項５】
前記第１の通信方式及び前記第２の通信方式の各々は、無線通信方式であり、
前記再生装置は、さらに、前記第１の通信方式及び前記第２の通信方式の各々の無線通信帯域が同一である場合に、前記音楽情報又は前記音楽データの再生状態に基づいて、前記第２の通信部による通信モードを、低速通信モード及び前記低速通信モードよりも通信速度が高速な高速通信モードのいずれかに切り替える通信制御部を備える
請求項１〜４のいずれか１項に記載の再生装置。
【請求項６】
前記通信制御部は、前記音楽データが再生中である場合は、前記第２の通信部の通信モードを前記低速通信モードに切り替え、前記音楽データが再生停止中である場合は、前記第２の通信部の通信モードを前記高速通信モードに切り替える
請求項５に記載の再生装置。
【請求項７】
前記通信制御部は、前記音楽データの再生位置が再生開始位置である場合は、前記第２の通信部の通信モードを前記低速通信モードに切り替え、前記音楽データの再生位置が再生終了位置である場合は、前記第２の通信部の通信モードを前記高速通信モードに切り替える
請求項５に記載の再生装置。
【請求項８】
前記通信制御部は、前記第１の通信部で受信した前記音楽データのバッファアンダーフローを検出した場合には、前記第２の通信部の通信モードを前記低速通信モードに切り替える
請求項５に記載の再生装置。
【請求項９】
前記第１の通信方式及び前記第２の通信方式の各々は、無線通信方式であり、
前記再生装置は、さらに、前記第１の通信部及び前記第２の通信部の各々を制御する通信制御部を備え、
前記通信制御部は、
前記第１の通信部が前記音楽データを前記外部機器から受信する前に、前記音楽情報が前記音楽情報記憶部に予め記憶されている場合には、前記第２の通信部の通信モードを高速通信モードに切り替え、前記検索データを送信するように前記第２の通信部を制御し、
前記第２の通信部が前記検索結果を受信した場合には、前記第２の通信部の通信モードを前記高速通信モードよりも通信速度が低速な低速通信モードに切り替え、前記音楽データを前記外部機器から受信するように前記第１の通信部を制御する
請求項１〜４のいずれか１項に記載の再生装置。
【請求項１０】
音楽データを再生するための再生装置の制御方法であって、
（ａ）第１の通信方式で外部機器と通信することにより、前記音楽データ及び当該音楽データの属性を示す音楽情報を前記外部機器から受信するステップと、
（ｂ）前記（ａ）で受信した前記音楽情報を音楽情報記憶部に記憶させるステップと、
（ｃ）前記（ａ）で受信した前記音楽データを再生するステップと、
（ｄ）前記音楽情報に基づいて、前記音楽データに関連する情報を検索するための検索データを生成するステップと、
（ｅ）前記第１の通信方式とは異なる第２の通信方式でネットワークを介して通信することにより、前記検索データを送信し、前記検索データに応じた検索結果を受信するステップと、
（ｆ）前記（ｅ）で受信した前記検索結果を出力するステップと、を含む
再生装置の制御方法。
【発明の詳細な説明】
【技術分野】
【０００１】
本開示は、再生装置及びその制御方法に関する。
【背景技術】
【０００２】
特許文献１は、音楽データを再生するための再生装置を開示する。特許文献１の再生装置は、音楽データを外部機器から無線通信により受信する通信部と、受信した音楽データを再生する再生部とを備える。【０００３】
ユーザは、上述した再生装置により音楽データを再生している際に、当該音楽データに関連する動画コンテンツを見たくなる場合がある。このような場合、ユーザは、当該再生装置又は他の端末装置等をインターネットに接続することにより、動画配信サービス等で所望の動画コンテンツを検索する必要がある。
【先行技術文献】
【特許文献】
【０００４】
【特許文献１】特開２００７−３１７３３５号公報
【発明の概要】
【発明が解決しようとする課題】
【０００５】
本開示は、ユーザの手を煩わせることなく、音楽データに関連する情報を検索することができる再生装置及びその制御方法を提供する。
【課題を解決するための手段】
【０００６】
本開示における再生装置は、音楽データを再生するための再生装置であって、第１の通信方式で外部機器と通信する第１の通信部であって、音楽データ及び当該音楽データの属性を示す音楽情報を外部機器から受信する第１の通信部と、第１の通信部で受信した音楽情報を記憶する音楽情報記憶部と、第１の通信部で受信した音楽データを再生する音楽再生部と、音楽情報に基づいて、音楽データに関連する情報を検索するための検索データを生成する検索データ生成部と、第１の通信方式とは異なる第２の通信方式でネットワークを介して通信する第２の通信部であって、検索データを送信し、検索データに応じた検索結果を受信する第２の通信部と、第２の通信部で受信した検索結果を出力する検索結果出力部と、を備える。
【発明の効果】
【０００７】
本開示における再生装置によれば、ユーザの手を煩わせることなく、音楽データに関連する情報を検索することができる。
【図面の簡単な説明】
【０００８】
【図１】図１は、実施の形態１に係る再生装置の構成を示すブロック図である。
【図２】図２は、実施の形態１に係る再生装置の動作の流れを示すフローチャートである。
【図３】図３は、実施の形態１に係る再生装置の表示部に表示された再生画面の一例を示す図である。
【図４】図４は、実施の形態２に係る再生装置の構成を示すブロック図である。
【図５】図５は、実施の形態２に係る再生装置の動作の流れを示すフローチャートである。
【図６】図６は、実施の形態２に係る再生装置の表示部に表示された再生画面の一例を示す図である。
【図７】図７は、実施の形態３に係る再生装置の構成を示すブロック図である。
【図８】図８は、実施の形態３に係る再生装置の動作の流れを示すフローチャートである。
【図９】図９は、実施の形態４に係る再生装置の構成を示すブロック図である。
【図１０】図１０は、実施の形態４に係る再生装置の動作の流れを示すフローチャートである。
【図１１】図１１は、実施の形態５に係る再生装置の構成を示すブロック図である。
【図１２】図１２は、実施の形態５に係る再生装置の動作の流れを示すフローチャートである。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本開示を十分に理解するために添付図面及び以下の説明を提供するのであって、これらによって請求の範囲に記載の主題を限定することを意図するものではない。
【００１１】
（実施の形態１）
以下、図１〜図３を参照しながら、実施の形態１について説明する。
【００１２】
［１−１．再生装置の構成］
まず、図１を参照しながら、実施の形態１に係る再生装置２の構成について説明する。図１は、実施の形態１に係る再生装置２の構成を示すブロック図である。
【００１３】
本実施の形態では、再生装置２は、音楽データを再生するためのオーディオプレーヤである。図１に示すように、再生装置２は、再生制御部４と、表示部６と、音声出力部８とを備えている。
【００１４】
再生制御部４は、第１の通信部１０と、音楽情報記憶部１２と、音楽再生部１４と、検索処理部１６（検索データ生成部及び検索結果出力部の一例）と、第２の通信部１８と、動画再生部２０と、受付部２２と、コントローラ２４とを有している。
【００１５】
第１の通信部１０は、第１の通信方式で端末装置２６（外部機器の一例）と通信する。第１の通信方式は、例えばＢｌｕｅｔｏｏｔｈ（登録商標）等の無線通信方式である。端末装置２６は、例えばスマートフォン又はタブレット端末等であり、音楽情報及び音楽データを再生装置２に送信する機能を有している。
【００１６】
なお、音楽データは、例えばＡ２ＤＰ（Ａｄｖａｎｃｅｄ  Ａｕｄｉｏ  Ｄｉｓｔｒｉｂｕｔｉｏｎ  Ｐｒｏｆｉｌｅ）及びＡＶＲＣＰ（Ａｕｄｉｏ／Ｖｉｄｅｏ  Ｒｅｍｏｔｅ  Ｃｏｎｔｒｏｌ  Ｐｒｏｆｉｌｅ）等により送信されるオーディオデータである。また、音楽情報は、音楽データの属性を示すメタデータであり、例えば、ａ）曲のタイトル、アーティスト名、音楽アルバム名及び曲長等を示す曲情報、ｂ）再生、停止及び一時停止等の音楽データの再生操作を示す再生操作情報、並びに、ｃ）音楽データの再生位置を示す再生位置情報等を含む。
【００１７】
第１の通信部１０は、音楽情報及び音楽データを端末装置２６から受信する。第１の通信部１０は、受信した音楽情報及び音楽データをそれぞれ、音楽情報記憶部１２及び音楽再生部１４に出力する。
【００１８】
音楽情報記憶部１２は、第１の通信部１０で受信した音楽情報を記憶するメモリである。
【００１９】
音楽再生部１４は、第１の通信部１０で受信した音楽データを再生し、再生した音楽データを音声出力部８に出力する。
【００２０】
検索処理部１６は、音楽情報記憶部１２に記憶された音楽情報に基づいて、音楽再生部１４により再生中の音楽データに関連する動画データを検索するための検索式（検索データの一例）を生成する。音楽データに関連する動画データとは、例えば当該音楽データの曲のミュージックビデオ、及び、当該音楽データの曲が収録された音楽アルバムの他の収録曲のミュージックビデオ等である。検索式は、例えば曲のタイトル、アーティスト名及び音楽アルバム名等を含むキーワード検索式である。また、検索処理部１６は、第２の通信部１８で受信した検索結果（後述する）を内部メモリに記憶し、当該検索結果を表示部６に出力し表示させる。
【００２１】
第２の通信部１８は、第１の通信方式とは異なる第２の通信方式で、例えばインターネット等のネットワークを介してサーバ装置２８と通信する。第２の通信方式は、例えばＷｉ−Ｆｉ（登録商標）による無線ＬＡＮ（Ｌｏｃａｌ  Ａｒｅａ  Ｎｅｔｗｏｒｋ）等の無線通信方式である。サーバ装置２８は、例えばＹｏｕＴｕｂｅ（登録商標）等の動画配信サービスにより動画データを配信するための動画配信サーバである。
【００２２】
第２の通信部１８は、検索処理部１６により生成された検索式を、ネットワークを介してサーバ装置２８に送信する。また、第２の通信部１８は、検索式に応じた検索結果、及び、当該検索結果に含まれる動画情報に対応する動画データを、ネットワークを介してサーバ装置２８から受信する。第２の通信部１８は、受信した検索結果及び動画データをそれぞれ、検索処理部１６及び動画再生部２０に出力する。
【００２３】
なお、検索結果は、検索処理部１６により生成された検索式に基づいてサーバ装置２８で検索された結果であり、検索によりヒットした動画データに関する動画情報を含む。動画情報は、動画データの属性を示す情報であり、例えば動画のタイトル、アーティスト名、再生時間、サムネイル及びＵＲＬ（Ｕｎｉｆｏｒｍ  Ｒｅｓｏｕｒｃｅ  Ｌｏｃａｔｏｒ）等を含む。
【００２４】
動画再生部２０は、第２の通信部１８で受信した動画データを再生して、再生した動画データを表示部６に表示させる。
【００２５】
受付部２２は、リモートコントローラ等を用いたユーザの操作を受け付ける。受付部２２は、ユーザの操作として、例えば、ａ）音楽データの再生、停止及び一時停止等の再生操作、ｂ）動画データの再生、停止及び一時停止等の再生操作、並びに、ｃ）検索結果に含まれる動画情報の選択操作等を受け付ける。受付部２２は、ユーザの操作の内容を示す操作信号をコントローラ２４に出力する。
【００２６】
コントローラ２４は、再生装置２を統括的に制御する。コントローラ２４は、制御部３０と、通信制御部３２とを有している。
【００２７】
制御部３０は、受付部２２からの操作信号に基づいて、音楽情報記憶部１２、音楽再生部１４、検索処理部１６及び動画再生部２０の各々を制御する。また、制御部３０は、受付部２２からの操作信号に基づいて、表示部６に表示される画面及び音声出力部８から出力される音声を制御する。
【００２８】
通信制御部３２は、受付部２２からの操作信号に基づいて、第１の通信部１０及び第２の通信部１８の各々を制御する。
【００２９】
表示部６は、例えば液晶表示パネルであり、音楽情報記憶部１２に記憶された音楽情報、検索処理部１６に記憶された検索結果、及び、動画再生部２０により再生された動画データ等を表示する。なお、表示部６と受付部２２とを一体化することによりタッチパネルを構成してもよい。
【００３０】
音声出力部８は、例えばアンプ及びスピーカであり、音楽再生部１４により再生された音楽データに基づく音声（音楽）を出力する。
【００３１】
［１−２．再生装置の動作］
次に、図２及び図３を参照しながら、実施の形態１に係る再生装置２の動作について説明する。図２は、実施の形態１に係る再生装置２の動作の流れを示すフローチャートである。図３は、実施の形態１に係る再生装置２の表示部６に表示された再生画面３４の一例を示す図である。
【００３２】
図２に示すように、まず、再生装置２の第１の通信部１０と端末装置２６との接続が開始される（Ｓ１０１）。具体的には、第１の通信部１０と端末装置２６との間で、例えばＢｌｕｅｔｏｏｔｈ（登録商標）規格に従ったペアリングが行われる。
【００３３】
ユーザが端末装置２６にインストールされたアプリケーションソフトウェアを操作することにより、端末装置２６は、音楽データ及び音楽情報を第１の通信部１０に送信する。これにより、第１の通信部１０は、音楽データ及び音楽情報を端末装置２６から受信する（Ｓ１０２）。第１の通信部１０は、受信した音楽情報及び音楽データをそれぞれ、音楽情報記憶部１２及び音楽再生部１４に出力する。
【００３４】
音楽情報記憶部１２は、第１の通信部１０からの音楽情報を記憶する（Ｓ１０３）。制御部３０は、音楽情報記憶部１２に記憶された音楽情報を表示部６に表示させる（Ｓ１０４）。音楽再生部１４は、第１の通信部１０からの音楽データを再生し（Ｓ１０５）、音声出力部８に出力する。これにより、音声出力部８は、音楽再生部１４により再生中の音楽データに基づく音声を出力する。なお、ユーザは、例えばリモートコントローラ等を用いて、音楽データの再生を操作することができる。
【００３５】
この時、表示部６には、例えば図３に示すような再生画面３４が表示される。再生画面３４の上半分の領域には、再生中の音楽データに関する音楽情報を表示するための音楽情報表示領域３６がＧＵＩ（Ｇｒａｐｈｉｃａｌ  Ｕｓｅｒ  Ｉｎｔｅｒｆａｃｅ）表示される。音楽情報表示領域３６には、音楽情報として、例えば曲のタイトル及びアーティスト名等の曲情報３８と、音楽データの再生位置及び曲長を示すシークバー４０とが表示されている。
【００３６】
図２のフローチャートに戻り、検索処理部１６は、第２の通信部１８がネットワークに接続されているか否かを判定する（Ｓ１０６）。第２の通信部１８がネットワークに接続されていない場合には（Ｓ１０６でＮＯ）、上述したステップＳ１０２に戻る。
【００３７】
第２の通信部１８がネットワークに接続されている場合には（Ｓ１０６でＹＥＳ）、検索処理部１６は、音楽情報記憶部１２に記憶された音楽情報に基づいて、音楽再生部１４により再生中の音楽データに関連する動画データを検索するための検索式を生成する（Ｓ１０７）。第２の通信部１８は、検索処理部１６により生成された検索式を、ネットワークを介してサーバ装置２８に送信する（Ｓ１０８）。これにより、サーバ装置２８は、受信した検索式に基づいて動画データを検索する。
【００３８】
第２の通信部１８は、検索式に応じた検索結果を、ネットワークを介してサーバ装置２８から受信する（Ｓ１０９）。第２の通信部１８は、受信した検索結果を検索処理部１６に出力する。検索処理部１６は、第２の通信部１８からの検索結果を内部メモリに記憶し（Ｓ１１０）、当該検索結果を表示部６に出力し表示させる（Ｓ１１１）。
【００３９】
この時、例えば図３に示すように、再生画面３４の下半分の領域には、再生中の音楽データに関連する動画データの検索結果を表示するための検索結果表示領域４２がＧＵＩ表示される。検索結果表示領域４２には、検索結果として、複数の動画情報４４ａ，４４ｂ，４４ｃ，４４ｄ（４４ａ〜４４ｄ）が表示されている。動画情報４４ａ〜４４ｄの各々は、例えば動画のタイトル及びアーティスト名等の曲情報４６と、動画データの再生時間４８と、動画データのサムネイル５０とが表示されている。
【００４０】
ユーザは、音楽データの再生中に、当該音楽データに関連する動画データを見たくなった場合には、例えばリモートコントローラ等を用いて、検索結果表示領域４２に表示された動画情報４４ａ〜４４ｄの中から自分の見たい動画情報を選択する。例えば、動画情報４４ａ〜４４ｄのうち受付部２２により動画情報４４ａ（特定の動画情報の一例）を選択する操作が受け付けられた場合には、第２の通信部１８は、動画情報４４ａに対応する動画データ（特定の動画データの一例）をサーバ装置２８から受信する。
【００４１】
動画再生部２０は、第２の通信部１８で受信した動画データを再生して表示部６に表示させる。これにより、例えば、動画情報４４ａに対応する動画データが表示部６に全画面表示される。なお、動画データの再生中は、音楽データの再生は停止される。
【００４２】
［１−３．効果］
上述したように、本実施の形態では、再生装置２は、音楽データを再生するための再生装置である。再生装置２は、第１の通信方式で端末装置２６と通信する第１の通信部１０であって、音楽データ及び当該音楽データの属性を示す音楽情報を端末装置２６から受信する第１の通信部１０と、第１の通信部１０で受信した音楽情報を記憶する音楽情報記憶部１２と、第１の通信部１０で受信した音楽データを再生する音楽再生部１４と、音楽情報に基づいて、音楽データに関連する情報を検索するための検索式を生成する検索処理部１６と、第１の通信方式とは異なる第２の通信方式でネットワークを介して通信する第２の通信部１８であって、検索式を送信し、検索式に応じた検索結果を受信する第２の通信部１８とを備える。検索処理部１６は、第２の通信部１８で受信した検索結果を出力する。
【００４３】
これによれば、検索処理部１６は、音楽情報に基づいて音楽データに関連する情報を検索するための検索式を生成する。第２の通信部１８は、生成された検索式を送信し、検索式に応じた検索結果を受信する。これにより、ユーザは、自分で情報を検索する手間を省くことができる。その結果、ユーザの手を煩わせることなく、音楽データに関連する情報を検索することができる。
【００４４】
また、本実施の形態において、検索処理部１６は、検索結果を表示部６に出力して表示させる。
【００４５】
これによれば、ユーザは、表示部６に表示された検索結果を見ることにより、音楽データに関連する情報を容易に知得することができる。
【００４６】
また、本実施の形態において、検索式は、音楽データに関連する動画データを検索するためのデータである。検索結果は、動画データの属性を示す動画情報を含む。第２の通信部１８は、検索結果に含まれる動画情報に対応する動画データをサーバ装置２８から受信する。再生装置２は、さらに、第２の通信部１８で受信した動画データを再生して表示部６に表示させる動画再生部２０を備える。
【００４７】
これによれば、ユーザの手を煩わせることなく、音楽データに関連する動画データを検索することができる。また、ユーザは、表示部６に表示された検索結果の中から、自分の見たい動画データを容易に視聴することができる。
【００４８】
また、本実施の形態において、再生装置２は、さらに、ユーザの操作を受け付ける受付部２２を備える。表示部６に表示された検索結果のうち受付部２２により特定の動画情報を選択する操作が受け付けられた際に、第２の通信部１８は、特定の動画情報に対応する特定の動画データをサーバ装置２８から受信する。動画再生部２０は、第２の通信部１８で受信した特定の動画データを再生して表示部６に表示させる。
【００４９】
これによれば、ユーザは、表示部６に表示された検索結果の中から、自分の見たい動画データを容易に選択して視聴することができる。
【００５０】
また、本実施の形態では、再生装置２の制御方法は、音楽データを再生するための再生装置２を制御する方法である。制御方法は、（ａ）第１の通信方式で端末装置２６と通信することにより、音楽データ及び当該音楽データの属性を示す音楽情報を端末装置２６から受信するステップと、（ｂ）上記（ａ）で受信した音楽情報を音楽情報記憶部１２に記憶させるステップと、（ｃ）上記（ａ）で受信した音楽データを再生するステップと、（ｄ）上記音楽情報に基づいて、音楽データに関連する情報を検索するための検索式を生成するステップと、（ｅ）第１の通信方式とは異なる第２の通信方式でネットワークを介して通信することにより、検索式を送信し、検索式に応じた検索結果を受信するステップと、（ｆ）上記（ｅ）で受信した検索結果を出力するステップとを含む。
【００５１】
これによれば、上述と同様に、ユーザの手を煩わせることなく、音楽データに関連する情報を検索することができる。
【００５２】
（実施の形態２）
［２−１．再生装置の構成］
次に、図４を参照しながら、実施の形態２に係る再生装置２Ａの構成について説明する。図４は、実施の形態２に係る再生装置２Ａの構成を示すブロック図である。なお、以下の各実施の形態では、上記実施の形態１と同一の構成要素には同一の符号を付して、その説明を省略する。
【００５３】
図４に示すように、本実施の形態の再生装置２Ａでは、再生制御部４Ａの通信制御部３２Ａの処理が上記実施の形態１と異なっている。
【００５４】
通信制御部３２Ａは、第２の通信方式の無線通信帯域を、例えば２．４ＧＨｚ及び５ＧＨｚのいずれかに設定することができる。通信制御部３２Ａは、第１の通信方式及び第２の通信方式の各々の無線通信帯域が同一（例えば２．４ＧＨｚ）である場合に、音楽情報記憶部１２に記憶された音楽情報（再生操作情報）に基づいて、第２の通信部１８による通信モードを、低速通信モード及び低速通信モードよりも通信速度が高速な高速通信モードのいずれかに切り替える。低速通信モードの通信速度は、例えば１Ｍｂｐｓであり、高速通信モードの通信速度は、例えば３０Ｍｂｐｓである。
【００５５】
具体的には、通信制御部３２Ａは、音楽データが再生中である場合には、第２の通信部１８の通信モードを低速通信モードに切り替える。一方、通信制御部３２Ａは、音楽データが再生停止中である場合には、第２の通信部１８の通信モードを高速通信モードに切り替える。なお、再生停止中とは、音楽データの再生が停止又は一時停止されている状態をいう。
【００５６】
［２−２．再生装置の動作］
次に、図５及び図６を参照しながら、実施の形態２に係る再生装置２Ａの動作について説明する。図５は、実施の形態２に係る再生装置２Ａの動作の流れを示すフローチャートである。図６は、実施の形態２に係る再生装置２Ａの表示部６に表示された再生画面３４Ａの一例を示す図である。なお、以下の各実施の形態では、上記実施の形態１で説明した図２のフローチャートと同一の処理には同一のステップ番号を付して、その説明を省略する。
【００５７】
図５に示すように、まず、上記実施の形態１と同様に、ステップＳ１０１〜Ｓ１０６が実行される。ステップＳ１０６において、第２の通信部１８がネットワークに接続されている場合には（Ｓ１０６でＹＥＳ）、通信制御部３２Ａは、第１の通信方式及び第２の通信方式の各々の無線通信帯域が同一であるか否かを判定する（Ｓ２０１）。
【００５８】
第１の通信方式及び第２の通信方式の各々の無線通信帯域が同一である場合には（Ｓ２０１でＹＥＳ）、通信制御部３２Ａは、音楽情報記憶部１２に記憶された音楽情報に基づいて、音楽データが再生中であるか否かを判定する（Ｓ２０２）。
【００５９】
音楽データが再生中である場合には（Ｓ２０２でＹＥＳ）、通信制御部３２Ａは、第２の通信部１８の通信モードを低速通信モードに切り替える（Ｓ２０３）。その後、上記実施の形態１と同様に、ステップＳ１０７〜Ｓ１１１が実行される。すなわち、第２の通信部１８は、音楽データの再生中は、低速通信モードでサーバ装置２８との間で通信を行う。
【００６０】
ステップＳ２０２に戻り、音楽データが再生停止中である場合には（Ｓ２０２でＮＯ）、通信制御部３２Ａは、第２の通信部１８の通信モードを高速通信モードに切り替える（Ｓ２０４）。その後、上記実施の形態１と同様に、ステップＳ１０７〜Ｓ１１１が実行される。すなわち、第２の通信部１８は、音楽データの再生停止中は、高速通信モードでサーバ装置２８との間で通信を行う。
【００６１】
ステップＳ２０１に戻り、第１の通信方式及び第２の通信方式の各々の無線通信帯域が同一でない場合には（Ｓ２０１でＮＯ）、通信制御部３２Ａは、第２の通信部１８の通信モードを高速通信モードに切り替える（Ｓ２０４）。その後、上記実施の形態１と同様に、ステップＳ１０７〜Ｓ１１１が実行される。
【００６２】
なお、例えば図６に示すように、第２の通信部１８の通信モードが切り替えられた際には、再生画面３４Ａの検索結果表示領域４２Ａには、ユーザに対して、検索結果が表示されるまで待つようにお願いするためのメッセージ５２が表示される。これにより、ユーザは、現在の通信状態を把握することができる。
【００６３】
［２−３．効果］
上述したように、本実施の形態では、第１の通信方式及び第２の通信方式の各々は、無線通信方式である。再生装置２Ａは、さらに、第１の通信方式及び第２の通信方式の各々の無線通信帯域が同一である場合に、音楽情報に基づいて、第２の通信部１８による通信モードを、低速通信モード及び低速通信モードよりも通信速度が高速な高速通信モードのいずれかに切り替える通信制御部３２Ａを備える。
【００６４】
これによれば、第１の通信方式及び第２の通信方式の各々の無線通信帯域が同一である場合には、第１の通信部１０で送受信する電波と第２の通信部１８で送受信する電波とが互いに干渉することにより、音楽データの再生及び動画データの再生が正常に行われないおそれが生じる。そこで、通信制御部３２Ａは、音楽情報に基づいて、第２の通信部１８による通信モードを低速通信モード及び高速通信モードのいずれかに切り替えるので、第１の通信部１０で送受信する電波と第２の通信部１８で送受信する電波とが互いに干渉するのを抑制することができる。その結果、音楽データの再生及び動画データの再生を安定して行うことができる。
【００６５】
また、本実施の形態において、通信制御部３２Ａは、音楽データが再生中である場合は、第２の通信部１８の通信モードを低速通信モードに切り替え、音楽データが再生停止中である場合は、第２の通信部１８の通信モードを高速通信モードに切り替える。
【００６６】
これによれば、音楽データが再生中である場合は、第１の通信部１０で送受信する電波と第２の通信部１８で送受信する電波とが互いに干渉する可能性が高くなる。そのため、音楽データが再生中である場合は、第２の通信部１８の通信モードを低速通信モードに切り替えることにより、第１の通信部１０で送受信する電波と第２の通信部１８で送受信する電波とが互いに干渉するのを抑制することができる。一方、音楽データが再生停止中である場合は、第１の通信部１０で送受信する電波と第２の通信部１８で送受信する電波とが互いに干渉する可能性が低くなる。そのため、音楽データが再生停止中である場合は、第２の通信部１８の通信モードを高速通信モードに切り替えることにより、動画データの検索処理及び受信処理等をスムーズに行うことができる。
【００６７】
（実施の形態３）
［３−１．再生装置の構成］
次に、図７を参照しながら、実施の形態３に係る再生装置２Ｂの構成について説明する。図７は、実施の形態３に係る再生装置２Ｂの構成を示すブロック図である。
【００６８】
図７に示すように、本実施の形態の再生装置２Ｂでは、再生制御部４Ｂの通信制御部３２Ｂの処理が上記実施の形態２と異なっている。
【００６９】
通信制御部３２Ｂは、第１の通信方式及び第２の通信方式の各々の無線通信帯域が同一である場合に、音楽情報記憶部１２に記憶された音楽情報（再生位置情報）に基づいて、第２の通信部１８による通信モードを、低速通信モード及び高速通信モードのいずれかに切り替える。
【００７０】
具体的には、通信制御部３２Ｂは、音楽データの再生位置が再生開始位置（オーディオトラックの先頭位置）である場合には、第２の通信部１８の通信モードを低速通信モードに切り替える。一方、通信制御部３２Ｂは、音楽データの再生位置が再生終了位置（オーディオトラックの末尾位置）である場合には、第２の通信部１８の通信モードを高速通信モードに切り替える。
【００７１】
［３−２．再生装置の動作］
次に、図８を参照しながら、実施の形態３に係る再生装置２Ｂの動作について説明する。図８は、実施の形態３に係る再生装置２Ｂの動作の流れを示すフローチャートである。
【００７２】
図８に示すように、まず、上記実施の形態１と同様に、ステップＳ１０１〜Ｓ１０６が実行される。ステップＳ１０６において、第２の通信部１８がネットワークに接続されている場合には（Ｓ１０６でＹＥＳ）、通信制御部３２Ｂは、第１の通信方式及び第２の通信方式の各々の無線通信帯域が同一であるか否かを判定する（Ｓ３０１）。
【００７３】
第１の通信方式及び第２の通信方式の各々の無線通信帯域が同一である場合には（Ｓ３０１でＹＥＳ）、通信制御部３２Ｂは、音楽情報記憶部１２に記憶された音楽情報に基づいて、音楽データの再生位置が再生開始位置及び再生終了位置のいずれであるか否かを判定する（Ｓ３０２）。
【００７４】
音楽データの再生位置が再生開始位置である場合には（Ｓ３０２で「再生開始位置」）、通信制御部３２Ｂは、第２の通信部１８の通信モードを低速通信モードに切り替える（Ｓ３０３）。その後、上記実施の形態１と同様に、ステップＳ１０７〜Ｓ１１１が実行される。すなわち、第２の通信部１８は、音楽データの再生中は、低速通信モードでサーバ装置２８との間で通信を行う。
【００７５】
ステップＳ３０２に戻り、音楽データの再生位置が再生終了位置である場合には（Ｓ３０２で「再生終了位置」）、通信制御部３２Ｂは、第２の通信部１８の通信モードを高速通信モードに切り替える（Ｓ３０４）。その後、上記実施の形態１と同様に、ステップＳ１０７〜Ｓ１１１が実行される。すなわち、第２の通信部１８は、音楽データの再生停止中は、高速通信モードでサーバ装置２８との間で通信を行う。
【００７６】
ステップＳ３０１に戻り、第１の通信方式及び第２の通信方式の各々の無線通信帯域が同一でない場合には（Ｓ３０１でＮＯ）、通信制御部３２Ｂは、第２の通信部１８の通信モードを高速通信モードに切り替える（Ｓ３０４）。その後、上記実施の形態１と同様に、ステップＳ１０７〜Ｓ１１１が実行される。
【００７７】
［３−３．効果］
上述したように、本実施の形態では、通信制御部３２Ｂは、音楽データの再生位置が再生開始位置である場合は、第２の通信部１８の通信モードを低速通信モードに切り替え、音楽データの再生位置が再生終了位置である場合は、第２の通信部１８の通信モードを高速通信モードに切り替える。
【００７８】
これによれば、音楽データの再生位置が再生開始位置である場合は、音楽データがこれから再生されるため、第１の通信部１０で送受信する電波と第２の通信部１８で送受信する電波とが互いに干渉する可能性が高くなる。そのため、音楽データの再生位置が再生開始位置である場合は、第２の通信部１８の通信モードを低速通信モードに切り替えることにより、第１の通信部１０で送受信する電波と第２の通信部１８で送受信する電波とが互いに干渉するのを抑制することができる。一方、音楽データの再生位置が再生終了位置である場合は、音楽データの再生が間もなく停止するため、第１の通信部１０で送受信する電波と第２の通信部１８で送受信する電波とが互いに干渉する可能性が低くなる。そのため、音楽データの再生位置が再生終了位置である場合は、第２の通信部１８の通信モードを高速通信モードに切り替えることにより、動画データの検索処理及び受信処理等をスムーズに行うことができる。
【００７９】
（実施の形態４）
［４−１．再生装置の構成］
次に、図９を参照しながら、実施の形態４に係る再生装置２Ｃの構成について説明する。図９は、実施の形態４に係る再生装置２Ｃの構成を示すブロック図である。
【００８０】
図９に示すように、本実施の形態の再生装置２Ｃでは、再生制御部４Ｃの通信制御部３２Ｃの処理が上記実施の形態２と異なっている。
【００８１】
通信制御部３２Ｃは、第１の通信方式及び第２の通信方式の各々の無線通信帯域が同一である場合に、音楽データの再生状態に基づいて、第２の通信部１８による通信モードを、低速通信モード及び高速通信モードのいずれかに切り替える。
【００８２】
具体的には、通信制御部３２Ｃは、第１の通信部１０で受信した音楽データのバッファアンダーフローを検出した場合には、第２の通信部１８の通信モードを低速通信モードに切り替える。一方、通信制御部３２Ｃは、第１の通信部１０で受信した音楽データのバッファアンダーフローを検出しない場合には、第２の通信部１８の通信モードを高速通信モードに切り替える。
【００８３】
［４−２．再生装置の動作］
次に、図１０を参照しながら、実施の形態４に係る再生装置２Ｃの動作について説明する。図１０は、実施の形態４に係る再生装置２Ｃの動作の流れを示すフローチャートである。
【００８４】
図１０に示すように、まず、上記実施の形態１と同様に、ステップＳ１０１〜Ｓ１０６が実行される。ステップＳ１０６において、第２の通信部１８がネットワークに接続されている場合には（Ｓ１０６でＹＥＳ）、通信制御部３２Ｃは、第１の通信方式及び第２の通信方式の各々の無線通信帯域が同一であるか否かを判定する（Ｓ４０１）。
【００８５】
第１の通信方式及び第２の通信方式の各々の無線通信帯域が同一である場合には（Ｓ４０１でＹＥＳ）、通信制御部３２Ｃは、第１の通信部１０で受信した音楽データに基づいて、音楽データのバッファアンダーフローが検出されたか否かを判定する（Ｓ４０２）。
【００８６】
音楽データのバッファアンダーフローが検出された場合には（Ｓ４０２でＹＥＳ）、通信制御部３２Ｃは、第２の通信部１８の通信モードを低速通信モードに切り替える（Ｓ４０３）。その後、上記実施の形態１と同様に、ステップＳ１０７〜Ｓ１１１が実行される。なお、ステップＳ１０７以降で、音楽データのバッファアンダーフローが一定期間検出されない場合には、通信制御部３２Ｃは、第２の通信部１８の通信モードを低速通信モードから高速通信モードに切り替えてもよい。
【００８７】
ステップＳ４０２に戻り、音楽データのバッファアンダーフローが検出された場合には（Ｓ４０２でＮＯ）、通信制御部３２Ｃは、第２の通信部１８の通信モードを高速通信モードに切り替える（Ｓ４０４）。その後、上記実施の形態１と同様に、ステップＳ１０７〜Ｓ１１１が実行される。
【００８８】
ステップＳ４０１に戻り、第１の通信方式及び第２の通信方式の各々の無線通信帯域が同一でない場合には（Ｓ４０１でＮＯ）、通信制御部３２Ｃは、第２の通信部１８の通信モードを高速通信モードに切り替える（Ｓ４０４）。その後、上記実施の形態１と同様に、ステップＳ１０７〜Ｓ１１１が実行される。
【００８９】
［４−３．効果］
上述したように、本実施の形態では、通信制御部３２Ｃは、第１の通信部１０で受信した音楽データのバッファアンダーフローを検出した場合には、第２の通信部１８の通信モードを低速通信モードに切り替える。
【００９０】
これによれば、第１の通信部１０で受信した音楽データのバッファアンダーフローが検出された場合には、音楽データの再生が途切れるおそれがある。そのため、第１の通信部１０で受信した音楽データのバッファアンダーフローが検出された場合には、第２の通信部１８の通信モードを低速通信モードに切り替えることにより、音楽データの再生が途切れるのを抑制することができる。
【００９１】
（実施の形態５）
［５−１．再生装置の構成］
次に、図１１を参照しながら、実施の形態５に係る再生装置２Ｄの構成について説明する。図１１は、実施の形態５に係る再生装置２Ｄの構成を示すブロック図である。
【００９２】
図１１に示すように、本実施の形態の再生装置２Ｄでは、再生制御部４Ｄの通信制御部３２Ｄの処理が上記実施の形態２と異なっている。
【００９３】
通信制御部３２Ｄは、第１の通信部１０が音楽データを端末装置２６から受信する前に、１以上の音楽情報が音楽情報記憶部１２に予め記憶されている場合には、第２の通信部１８の通信モードを高速通信モードに切り替え、検索式をサーバ装置２８に送信するように第２の通信部１８を制御する。
【００９４】
なお、例えば第１の通信部１０が音楽データを端末装置２６から受信する前に、例えばフォルダリスト（音楽アルバムの全収録曲に関する音楽情報）を端末装置２６から受信することにより、フォルダリストに含まれる１以上の音楽データに関する音楽情報が音楽情報記憶部１２に予め記憶される。
【００９５】
また、通信制御部３２Ｄは、第２の通信部１８が検索結果をサーバ装置２８から受信した場合には、第２の通信部１８の通信モードを高速通信モードから低速通信モードに切り替え、音楽データを端末装置２６から受信するように第１の通信部１０を制御する。
【００９６】
［５−２．再生装置の動作］
次に、図１２を参照しながら、実施の形態５に係る再生装置２Ｄの動作について説明する。図１２は、実施の形態５に係る再生装置２Ｄの動作の流れを示すフローチャートである。
【００９７】
図１２に示すように、まず、上記実施の形態１と同様にステップＳ１０１が実行された後に、第１の通信部１０は、音楽情報（例えばフォルダリスト）を端末装置２６から受信する（Ｓ５０１）。第１の通信部１０は、受信した音楽情報を音楽情報記憶部１２に出力する。
【００９８】
音楽情報記憶部１２は、第１の通信部１０からの音楽情報を記憶する（Ｓ５０２）。検索処理部１６は、第２の通信部１８がネットワークに接続されているか否かを判定する（Ｓ５０３）。第２の通信部１８がネットワークに接続されていない場合には（Ｓ５０３でＮＯ）、上述したステップＳ５０１に戻る。
【００９９】
第２の通信部１８がネットワークに接続されている場合には（Ｓ５０３でＹＥＳ）、通信制御部３２Ｄは、第２の通信部１８の通信モードを高速通信モードに切り替える（Ｓ５０４）。その後、上記実施の形態１と同様に、ステップＳ１０７〜Ｓ１１０が実行される。すなわち、第２の通信部１８は、音楽データの再生前に、高速通信モードでサーバ装置２８との間で通信を行う。
【０１００】
ステップＳ１１０の後に、通信制御部３２Ｄは、第２の通信部１８の通信モードを高速通信モードから低速通信モードに切り替える（Ｓ５０５）。第１の通信部１０は、音楽情報記憶部１２に予め記憶された音楽情報に対応する音楽データを端末装置２６から受信する（Ｓ５０６）。制御部３０は、音楽情報記憶部１２に記憶された音楽情報及び検索結果を表示部６に表示させる（Ｓ５０７）。音楽再生部１４は、第１の通信部１０からの音楽データを再生する（Ｓ５０８）。これにより、第２の通信部１８の通信モードが低速通信モードに切り替えられた状態で、音楽データの再生が行われる。
【０１０１】
［５−３．効果］
上述したように、本実施の形態では、第１の通信方式及び第２の通信方式の各々は、無線通信方式である。再生装置２Ｄは、さらに、第１の通信部１０及び第２の通信部１８の各々を制御する通信制御部３２Ｄを備える。通信制御部３２Ｄは、第１の通信部１０が音楽データを端末装置２６から受信する前に、音楽情報が音楽情報記憶部１２に予め記憶されている場合には、第２の通信部１８の通信モードを高速通信モードに切り替え、検索式を送信するように第２の通信部１８を制御する。また、通信制御部３２Ｄは、第２の通信部１８が検索結果を受信した場合には、第２の通信部１８の通信モードを高速通信モードよりも通信速度が低速な低速通信モードに切り替え、音楽データを端末装置２６から受信するように第１の通信部１０を制御する。
【０１０２】
これによれば、音楽データの再生前に、第２の通信部１８は、高速通信モードで通信を行う。これにより、第１の通信部１０で送受信する電波と第２の通信部１８で送受信する電波とが互いに干渉するのを抑制することができ、動画データの検索処理をスムーズに行うことができる。また、音楽データの再生中に、第２の通信部１８は、低速通信モードで通信を行う。これにより、第１の通信部１０で送受信する電波と第２の通信部１８で送受信する電波とが互いに干渉するのを抑制することができる。
【０１０３】
（変形例等）
以上のように、本出願において開示する技術の例示として、上記各実施の形態を説明した。しかしながら、本開示における技術は、これに限定されず、適宜、変更、置き換え、付加、省略などを行った実施の形態にも適用可能である。また、上記各実施の形態で説明した各構成要素を組み合わせて、新たな実施の形態とすることも可能である。
【０１０４】
そこで、以下、他の実施の形態を例示する。
【０１０５】
上記各実施の形態では、再生制御部４（４Ａ，４Ｂ，４Ｃ，４Ｄ）が第１の通信部１０、第２の通信部１８及び通信制御部３２（３２Ａ，３２Ｂ，３２Ｃ，３２Ｄ）を有するようにしたが、これに限定されず、第１の通信部１０、第２の通信部１８及び通信制御部３２（３２Ａ，３２Ｂ，３２Ｃ，３２Ｄ）を再生制御部４（４Ａ，４Ｂ，４Ｃ，４Ｄ）と別構成にしてもよい。
【０１０６】
また、上記各実施の形態では、ユーザは、リモートコントローラを用いて音楽データの再生を操作したが、これに限定されず、例えば端末装置２６を用いて音楽データの再生を操作してもよい。例えば、ユーザが端末装置２６の表示部に表示された再生ボタン等をダブルタップすることにより、再生画面３４に表示された、動画情報４４ａ〜４４ｄを選択するためのカーソルが右（又は左）に移動するようにしてもよい。
【０１０７】
また、上記各実施の形態では、検索式（検索データ）は、音楽データに関連する動画データを検索するためのデータとしたが、これに限定されず、例えば曲の歌詞又はアーティストの活動予定等を検索するためのデータとしてもよい。
【０１０８】
なお、上記各実施の形態において、各構成要素は、専用のハードウェアで構成されるか、各構成要素に適したソフトウェアプログラムを実行することによって実現されてもよい。各構成要素は、ＣＰＵ又はプロセッサ等のプログラム実行部が、ハードディスク又は半導体メモリなどの記録媒体に記録されたソフトウェアプログラムを読み出して実行することによって実現されてもよい。
【０１０９】
また、上記各実施の形態に係る再生装置２（２Ａ，２Ｂ，２Ｃ，２Ｄ）の機能の一部又は全てを、ＣＰＵ等のプロセッサがプログラムを実行することにより実現してもよい。
【０１１０】
以上のように、本開示における技術の例示として、実施の形態を説明した。そのために、添付図面及び詳細な説明を提供した。
【０１１１】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１２】
また、上述の実施の形態は、本開示における技術を例示するためのものであるから、請求の範囲又はその均等の範囲において種々の変更、置き換え、付加、省略などを行うことができる。
【産業上の利用可能性】
【０１１３】
本開示の再生装置は、例えば音楽を再生するためのオーディオプレーヤ等として適用可能である。
【符号の説明】
【０１１４】
２，２Ａ，２Ｂ，２Ｃ，２Ｄ  再生装置
４，４Ａ，４Ｂ，４Ｃ，４Ｄ  再生制御部
６  表示部
８  音声出力部
１０  第１の通信部
１２  音楽情報記憶部
１４  音楽再生部
１６  検索処理部
１８  第２の通信部
２０  動画再生部
２２  受付部
２４  コントローラ
２６  端末装置
２８  サーバ装置
３０  制御部
３２，３２Ａ，３２Ｂ，３２Ｃ，３２Ｄ  通信制御部
３４，３４Ａ  再生画面
３６  音楽情報表示領域
３８，４６  曲情報
４０  シークバー
４２，４２Ａ  検索結果表示領域
４４ａ，４４ｂ，４４ｃ，４４ｄ  動画情報
４８  再生時間
５０  サムネイル
５２  メッセージ
【図１】
2020183749.tif 000003
【図２】
2020183749.tif 000004
【図３】
2020183749.tif 000005
【図４】
2020183749.tif 000006
【図５】
2020183749.tif 000007
【図６】
2020183749.tif 000008
【図７】
2020183749.tif 000009
【図８】
2020183749.tif 000010
【図９】
2020183749.tif 000011
【図１０】
2020183749.tif 000012
【図１１】
2020183749.tif 000013
【図１２】
2020183749.tif 000014
【手続補正書】
【提出日】令和2年2月19日(2020.2.19)
【手続補正１】
【補正対象書類名】明細書
【補正対象項目名】全文
【補正方法】変更
【補正の内容】
【発明の詳細な説明】
【技術分野】
【０００１】
本開示は、再生装置及びその制御方法に関する。
【背景技術】
【０００２】
特許文献１は、音楽データを再生するための再生装置を開示する。特許文献１の再生装置は、音楽データを外部機器から無線通信により受信する通信部と、受信した音楽データを再生する再生部とを備える。
【０００３】
ユーザは、上述した再生装置により音楽データを再生している際に、当該音楽データに関連する動画コンテンツを見たくなる場合がある。このような場合、ユーザは、当該再生装置又は他の端末装置等をインターネットに接続することにより、動画配信サービス等で所望の動画コンテンツを検索する必要がある。
【先行技術文献】
【特許文献】
【０００４】
【特許文献１】特開２００７−３１７３３５号公報
【発明の概要】
【発明が解決しようとする課題】
【０００５】
本開示は、ユーザの手を煩わせることなく、音楽データに関連する情報を検索することができる再生装置及びその制御方法を提供する。
【課題を解決するための手段】
【０００６】
本開示における再生装置は、音楽データを再生するための再生装置であって、第１の通信方式で外部機器と通信する第１の通信部であって、音楽データ及び当該音楽データの属性を示す音楽情報を外部機器から受信する第１の通信部と、第１の通信部で受信した音楽情報を記憶する音楽情報記憶部と、第１の通信部で受信した音楽データを再生する音楽再生部と、音楽情報に基づいて、音楽データに関連する情報を検索するための検索データを生成する検索データ生成部と、第１の通信方式とは異なる第２の通信方式でネットワークを介して通信する第２の通信部であって、検索データを送信し、検索データに応じた検索結果を受信する第２の通信部と、第２の通信部で受信した検索結果を出力する検索結果出力部と、を備える。
【発明の効果】
【０００７】
本開示における再生装置によれば、ユーザの手を煩わせることなく、音楽データに関連する情報を検索することができる。
【図面の簡単な説明】
【０００８】
【図１】図１は、実施の形態１に係る再生装置の構成を示すブロック図である。
【図２】図２は、実施の形態１に係る再生装置の動作の流れを示すフローチャートである。
【図３】図３は、実施の形態１に係る再生装置の表示部に表示された再生画面の一例を示す図である。
【図４】図４は、実施の形態２に係る再生装置の構成を示すブロック図である。
【図５】図５は、実施の形態２に係る再生装置の動作の流れを示すフローチャートである。
【図６】図６は、実施の形態２に係る再生装置の表示部に表示された再生画面の一例を示す図である。
【図７】図７は、実施の形態３に係る再生装置の構成を示すブロック図である。
【図８】図８は、実施の形態３に係る再生装置の動作の流れを示すフローチャートである。
【図９】図９は、実施の形態４に係る再生装置の構成を示すブロック図である。
【図１０】図１０は、実施の形態４に係る再生装置の動作の流れを示すフローチャートである。
【図１１】図１１は、実施の形態５に係る再生装置の構成を示すブロック図である。
【図１２】図１２は、実施の形態５に係る再生装置の動作の流れを示すフローチャートである。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本開示を十分に理解するために添付図面及び以下の説明を提供するのであって、これらによって請求の範囲に記載の主題を限定することを意図するものではない。
【００１１】
（実施の形態１）
以下、図１〜図３を参照しながら、実施の形態１について説明する。
【００１２】
［１−１．再生装置の構成］
まず、図１を参照しながら、実施の形態１に係る再生装置２の構成について説明する。図１は、実施の形態１に係る再生装置２の構成を示すブロック図である。
【００１３】
本実施の形態では、再生装置２は、音楽データを再生するためのオーディオプレーヤである。図１に示すように、再生装置２は、再生制御部４と、表示部６と、音声出力部８とを備えている。
【００１４】
再生制御部４は、第１の通信部１０と、音楽情報記憶部１２と、音楽再生部１４と、検索処理部１６（検索データ生成部及び検索結果出力部の一例）と、第２の通信部１８と、動画再生部２０と、受付部２２と、コントローラ２４とを有している。
【００１５】
第１の通信部１０は、第１の通信方式で端末装置２６（外部機器の一例）と通信する。第１の通信方式は、例えばＢｌｕｅｔｏｏｔｈ（登録商標）等の無線通信方式である。端末装置２６は、例えばスマートフォン又はタブレット端末等であり、音楽情報及び音楽データを再生装置２に送信する機能を有している。
【００１６】
なお、音楽データは、例えばＡ２ＤＰ（Ａｄｖａｎｃｅｄ  Ａｕｄｉｏ  Ｄｉｓｔｒｉｂｕｔｉｏｎ  Ｐｒｏｆｉｌｅ）及びＡＶＲＣＰ（Ａｕｄｉｏ／Ｖｉｄｅｏ  Ｒｅｍｏｔｅ  Ｃｏｎｔｒｏｌ  Ｐｒｏｆｉｌｅ）等により送信されるオーディオデータである。また、音楽情報は、音楽データの属性を示すメタデータであり、例えば、ａ）曲のタイトル、アーティスト名、音楽アルバム名及び曲長等を示す曲情報、ｂ）再生、停止及び一時停止等の音楽データの再生操作を示す再生操作情報、並びに、ｃ）音楽データの再生位置を示す再生位置情報等を含む。
【００１７】
第１の通信部１０は、音楽情報及び音楽データを端末装置２６から受信する。第１の通信部１０は、受信した音楽情報及び音楽データをそれぞれ、音楽情報記憶部１２及び音楽再生部１４に出力する。
【００１８】
音楽情報記憶部１２は、第１の通信部１０で受信した音楽情報を記憶するメモリである。
【００１９】
音楽再生部１４は、第１の通信部１０で受信した音楽データを再生し、再生した音楽データを音声出力部８に出力する。
【００２０】
検索処理部１６は、音楽情報記憶部１２に記憶された音楽情報に基づいて、音楽再生部１４により再生中の音楽データに関連する動画データを検索するための検索式（検索データの一例）を生成する。音楽データに関連する動画データとは、例えば当該音楽データの曲のミュージックビデオ、及び、当該音楽データの曲が収録された音楽アルバムの他の収録曲のミュージックビデオ等である。検索式は、例えば曲のタイトル、アーティスト名及び音楽アルバム名等を含むキーワード検索式である。また、検索処理部１６は、第２の通信部１８で受信した検索結果（後述する）を内部メモリに記憶し、当該検索結果を表示部６に出力し表示させる。
【００２１】
第２の通信部１８は、第１の通信方式とは異なる第２の通信方式で、例えばインターネット等のネットワークを介してサーバ装置２８と通信する。第２の通信方式は、例えばＷｉ−Ｆｉ（登録商標）による無線ＬＡＮ（Ｌｏｃａｌ  Ａｒｅａ  Ｎｅｔｗｏｒｋ）等の無線通信方式である。サーバ装置２８は、例えばＹｏｕＴｕｂｅ（登録商標）等の動画配信サービスにより動画データを配信するための動画配信サーバである。
【００２２】
第２の通信部１８は、検索処理部１６により生成された検索式を、ネットワークを介してサーバ装置２８に送信する。また、第２の通信部１８は、検索式に応じた検索結果、及び、当該検索結果に含まれる動画情報に対応する動画データを、ネットワークを介してサーバ装置２８から受信する。第２の通信部１８は、受信した検索結果及び動画データをそれぞれ、検索処理部１６及び動画再生部２０に出力する。
【００２３】
なお、検索結果は、検索処理部１６により生成された検索式に基づいてサーバ装置２８で検索された結果であり、検索によりヒットした動画データに関する動画情報を含む。動画情報は、動画データの属性を示す情報であり、例えば動画のタイトル、アーティスト名、再生時間、サムネイル及びＵＲＬ（Ｕｎｉｆｏｒｍ  Ｒｅｓｏｕｒｃｅ  Ｌｏｃａｔｏｒ）等を含む。
【００２４】
動画再生部２０は、第２の通信部１８で受信した動画データを再生して、再生した動画データを表示部６に表示させる。
【００２５】
受付部２２は、リモートコントローラ等を用いたユーザの操作を受け付ける。受付部２２は、ユーザの操作として、例えば、ａ）音楽データの再生、停止及び一時停止等の再生操作、ｂ）動画データの再生、停止及び一時停止等の再生操作、並びに、ｃ）検索結果に含まれる動画情報の選択操作等を受け付ける。受付部２２は、ユーザの操作の内容を示す操作信号をコントローラ２４に出力する。
【００２６】
コントローラ２４は、再生装置２を統括的に制御する。コントローラ２４は、制御部３０と、通信制御部３２とを有している。
【００２７】
制御部３０は、受付部２２からの操作信号に基づいて、音楽情報記憶部１２、音楽再生部１４、検索処理部１６及び動画再生部２０の各々を制御する。また、制御部３０は、受付部２２からの操作信号に基づいて、表示部６に表示される画面及び音声出力部８から出力される音声を制御する。
【００２８】
通信制御部３２は、受付部２２からの操作信号に基づいて、第１の通信部１０及び第２の通信部１８の各々を制御する。
【００２９】
表示部６は、例えば液晶表示パネルであり、音楽情報記憶部１２に記憶された音楽情報、検索処理部１６に記憶された検索結果、及び、動画再生部２０により再生された動画データ等を表示する。なお、表示部６と受付部２２とを一体化することによりタッチパネルを構成してもよい。
【００３０】
音声出力部８は、例えばアンプ及びスピーカであり、音楽再生部１４により再生された音楽データに基づく音声（音楽）を出力する。
【００３１】
［１−２．再生装置の動作］
次に、図２及び図３を参照しながら、実施の形態１に係る再生装置２の動作について説明する。図２は、実施の形態１に係る再生装置２の動作の流れを示すフローチャートである。図３は、実施の形態１に係る再生装置２の表示部６に表示された再生画面３４の一例を示す図である。
【００３２】
図２に示すように、まず、再生装置２の第１の通信部１０と端末装置２６との接続が開始される（Ｓ１０１）。具体的には、第１の通信部１０と端末装置２６との間で、例えばＢｌｕｅｔｏｏｔｈ（登録商標）規格に従ったペアリングが行われる。
【００３３】
ユーザが端末装置２６にインストールされたアプリケーションソフトウェアを操作することにより、端末装置２６は、音楽データ及び音楽情報を第１の通信部１０に送信する。これにより、第１の通信部１０は、音楽データ及び音楽情報を端末装置２６から受信する（Ｓ１０２）。第１の通信部１０は、受信した音楽情報及び音楽データをそれぞれ、音楽情報記憶部１２及び音楽再生部１４に出力する。
【００３４】
音楽情報記憶部１２は、第１の通信部１０からの音楽情報を記憶する（Ｓ１０３）。制御部３０は、音楽情報記憶部１２に記憶された音楽情報を表示部６に表示させる（Ｓ１０４）。音楽再生部１４は、第１の通信部１０からの音楽データを再生し（Ｓ１０５）、音声出力部８に出力する。これにより、音声出力部８は、音楽再生部１４により再生中の音楽データに基づく音声を出力する。なお、ユーザは、例えばリモートコントローラ等を用いて、音楽データの再生を操作することができる。
【００３５】
この時、表示部６には、例えば図３に示すような再生画面３４が表示される。再生画面３４の上半分の領域には、再生中の音楽データに関する音楽情報を表示するための音楽情報表示領域３６がＧＵＩ（Ｇｒａｐｈｉｃａｌ  Ｕｓｅｒ  Ｉｎｔｅｒｆａｃｅ）表示される。音楽情報表示領域３６には、音楽情報として、例えば曲のタイトル及びアーティスト名等の曲情報３８と、音楽データの再生位置及び曲長を示すシークバー４０とが表示されている。
【００３６】
図２のフローチャートに戻り、検索処理部１６は、第２の通信部１８がネットワークに接続されているか否かを判定する（Ｓ１０６）。第２の通信部１８がネットワークに接続されていない場合には（Ｓ１０６でＮＯ）、上述したステップＳ１０２に戻る。
【００３７】
第２の通信部１８がネットワークに接続されている場合には（Ｓ１０６でＹＥＳ）、検索処理部１６は、音楽情報記憶部１２に記憶された音楽情報に基づいて、音楽再生部１４により再生中の音楽データに関連する動画データを検索するための検索式を生成する（Ｓ１０７）。第２の通信部１８は、検索処理部１６により生成された検索式を、ネットワークを介してサーバ装置２８に送信する（Ｓ１０８）。これにより、サーバ装置２８は、受信した検索式に基づいて動画データを検索する。
【００３８】
第２の通信部１８は、検索式に応じた検索結果を、ネットワークを介してサーバ装置２８から受信する（Ｓ１０９）。第２の通信部１８は、受信した検索結果を検索処理部１６に出力する。検索処理部１６は、第２の通信部１８からの検索結果を内部メモリに記憶し（Ｓ１１０）、当該検索結果を表示部６に出力し表示させる（Ｓ１１１）。
【００３９】
この時、例えば図３に示すように、再生画面３４の下半分の領域には、再生中の音楽データに関連する動画データの検索結果を表示するための検索結果表示領域４２がＧＵＩ表示される。検索結果表示領域４２には、検索結果として、複数の動画情報４４ａ，４４ｂ，４４ｃ，４４ｄ（４４ａ〜４４ｄ）が表示されている。動画情報４４ａ〜４４ｄの各々は、例えば動画のタイトル及びアーティスト名等の曲情報４６と、動画データの再生時間４８と、動画データのサムネイル５０とが表示されている。
【００４０】
ユーザは、音楽データの再生中に、当該音楽データに関連する動画データを見たくなった場合には、例えばリモートコントローラ等を用いて、検索結果表示領域４２に表示された動画情報４４ａ〜４４ｄの中から自分の見たい動画情報を選択する。例えば、動画情報４４ａ〜４４ｄのうち受付部２２により動画情報４４ａ（特定の動画情報の一例）を選択する操作が受け付けられた場合には、第２の通信部１８は、動画情報４４ａに対応する動画データ（特定の動画データの一例）をサーバ装置２８から受信する。
【００４１】
動画再生部２０は、第２の通信部１８で受信した動画データを再生して表示部６に表示させる。これにより、例えば、動画情報４４ａに対応する動画データが表示部６に全画面表示される。なお、動画データの再生中は、音楽データの再生は停止される。
【００４２】
［１−３．効果］
上述したように、本実施の形態では、再生装置２は、音楽データを再生するための再生装置である。再生装置２は、第１の通信方式で端末装置２６と通信する第１の通信部１０であって、音楽データ及び当該音楽データの属性を示す音楽情報を端末装置２６から受信する第１の通信部１０と、第１の通信部１０で受信した音楽情報を記憶する音楽情報記憶部１２と、第１の通信部１０で受信した音楽データを再生する音楽再生部１４と、音楽情報に基づいて、音楽データに関連する情報を検索するための検索式を生成する検索処理部１６と、第１の通信方式とは異なる第２の通信方式でネットワークを介して通信する第２の通信部１８であって、検索式を送信し、検索式に応じた検索結果を受信する第２の通信部１８とを備える。検索処理部１６は、第２の通信部１８で受信した検索結果を出力する。
【００４３】
これによれば、検索処理部１６は、音楽情報に基づいて音楽データに関連する情報を検索するための検索式を生成する。第２の通信部１８は、生成された検索式を送信し、検索式に応じた検索結果を受信する。これにより、ユーザは、自分で情報を検索する手間を省くことができる。その結果、ユーザの手を煩わせることなく、音楽データに関連する情報を検索することができる。
【００４４】
また、本実施の形態において、検索処理部１６は、検索結果を表示部６に出力して表示させる。
【００４５】
これによれば、ユーザは、表示部６に表示された検索結果を見ることにより、音楽データに関連する情報を容易に知得することができる。
【００４６】
また、本実施の形態において、検索式は、音楽データに関連する動画データを検索するためのデータである。検索結果は、動画データの属性を示す動画情報を含む。第２の通信部１８は、検索結果に含まれる動画情報に対応する動画データをサーバ装置２８から受信する。再生装置２は、さらに、第２の通信部１８で受信した動画データを再生して表示部６に表示させる動画再生部２０を備える。
【００４７】
これによれば、ユーザの手を煩わせることなく、音楽データに関連する動画データを検索することができる。また、ユーザは、表示部６に表示された検索結果の中から、自分の見たい動画データを容易に視聴することができる。
【００４８】
また、本実施の形態において、再生装置２は、さらに、ユーザの操作を受け付ける受付部２２を備える。表示部６に表示された検索結果のうち受付部２２により特定の動画情報を選択する操作が受け付けられた際に、第２の通信部１８は、特定の動画情報に対応する特定の動画データをサーバ装置２８から受信する。動画再生部２０は、第２の通信部１８で受信した特定の動画データを再生して表示部６に表示させる。
【００４９】
これによれば、ユーザは、表示部６に表示された検索結果の中から、自分の見たい動画データを容易に選択して視聴することができる。
【００５０】
また、本実施の形態では、再生装置２の制御方法は、音楽データを再生するための再生装置２を制御する方法である。制御方法は、（ａ）第１の通信方式で端末装置２６と通信することにより、音楽データ及び当該音楽データの属性を示す音楽情報を端末装置２６から受信するステップと、（ｂ）上記（ａ）で受信した音楽情報を音楽情報記憶部１２に記憶させるステップと、（ｃ）上記（ａ）で受信した音楽データを再生するステップと、（ｄ）上記音楽情報に基づいて、音楽データに関連する情報を検索するための検索式を生成するステップと、（ｅ）第１の通信方式とは異なる第２の通信方式でネットワークを介して通信することにより、検索式を送信し、検索式に応じた検索結果を受信するステップと、（ｆ）上記（ｅ）で受信した検索結果を出力するステップとを含む。
【００５１】
これによれば、上述と同様に、ユーザの手を煩わせることなく、音楽データに関連する情報を検索することができる。
【００５２】
（実施の形態２）
［２−１．再生装置の構成］
次に、図４を参照しながら、実施の形態２に係る再生装置２Ａの構成について説明する。図４は、実施の形態２に係る再生装置２Ａの構成を示すブロック図である。なお、以下の各実施の形態では、上記実施の形態１と同一の構成要素には同一の符号を付して、その説明を省略する。
【００５３】
図４に示すように、本実施の形態の再生装置２Ａでは、再生制御部４Ａの通信制御部３２Ａの処理が上記実施の形態１と異なっている。
【００５４】
通信制御部３２Ａは、第２の通信方式の無線通信帯域を、例えば２．４ＧＨｚ及び５ＧＨｚのいずれかに設定することができる。通信制御部３２Ａは、第１の通信方式及び第２の通信方式の各々の無線通信帯域が同一（例えば２．４ＧＨｚ）である場合に、音楽情報記憶部１２に記憶された音楽情報（再生操作情報）に基づいて、第２の通信部１８による通信モードを、低速通信モード及び低速通信モードよりも通信速度が高速な高速通信モードのいずれかに切り替える。低速通信モードの通信速度は、例えば１Ｍｂｐｓであり、高速通信モードの通信速度は、例えば３０Ｍｂｐｓである。
【００５５】
具体的には、通信制御部３２Ａは、音楽データが再生中である場合には、第２の通信部１８の通信モードを低速通信モードに切り替える。一方、通信制御部３２Ａは、音楽データが再生停止中である場合には、第２の通信部１８の通信モードを高速通信モードに切り替える。なお、再生停止中とは、音楽データの再生が停止又は一時停止されている状態をいう。
【００５６】
［２−２．再生装置の動作］
次に、図５及び図６を参照しながら、実施の形態２に係る再生装置２Ａの動作について説明する。図５は、実施の形態２に係る再生装置２Ａの動作の流れを示すフローチャートである。図６は、実施の形態２に係る再生装置２Ａの表示部６に表示された再生画面３４Ａの一例を示す図である。なお、以下の各実施の形態では、上記実施の形態１で説明した図２のフローチャートと同一の処理には同一のステップ番号を付して、その説明を省略する。
【００５７】
図５に示すように、まず、上記実施の形態１と同様に、ステップＳ１０１〜Ｓ１０６が実行される。ステップＳ１０６において、第２の通信部１８がネットワークに接続されている場合には（Ｓ１０６でＹＥＳ）、通信制御部３２Ａは、第１の通信方式及び第２の通信方式の各々の無線通信帯域が同一であるか否かを判定する（Ｓ２０１）。
【００５８】
第１の通信方式及び第２の通信方式の各々の無線通信帯域が同一である場合には（Ｓ２０１でＹＥＳ）、通信制御部３２Ａは、音楽情報記憶部１２に記憶された音楽情報に基づいて、音楽データが再生中であるか否かを判定する（Ｓ２０２）。
【００５９】
音楽データが再生中である場合には（Ｓ２０２でＹＥＳ）、通信制御部３２Ａは、第２の通信部１８の通信モードを低速通信モードに切り替える（Ｓ２０３）。その後、上記実施の形態１と同様に、ステップＳ１０７〜Ｓ１１１が実行される。すなわち、第２の通信部１８は、音楽データの再生中は、低速通信モードでサーバ装置２８との間で通信を行う。
【００６０】
ステップＳ２０２に戻り、音楽データが再生停止中である場合には（Ｓ２０２でＮＯ）、通信制御部３２Ａは、第２の通信部１８の通信モードを高速通信モードに切り替える（Ｓ２０４）。その後、上記実施の形態１と同様に、ステップＳ１０７〜Ｓ１１１が実行される。すなわち、第２の通信部１８は、音楽データの再生停止中は、高速通信モードでサーバ装置２８との間で通信を行う。
【００６１】
ステップＳ２０１に戻り、第１の通信方式及び第２の通信方式の各々の無線通信帯域が同一でない場合には（Ｓ２０１でＮＯ）、通信制御部３２Ａは、第２の通信部１８の通信モードを高速通信モードに切り替える（Ｓ２０４）。その後、上記実施の形態１と同様に、ステップＳ１０７〜Ｓ１１１が実行される。
【００６２】
なお、例えば図６に示すように、第２の通信部１８の通信モードが切り替えられた際には、再生画面３４Ａの検索結果表示領域４２Ａには、ユーザに対して、検索結果が表示されるまで待つようにお願いするためのメッセージ５２が表示される。これにより、ユーザは、現在の通信状態を把握することができる。
【００６３】
［２−３．効果］
上述したように、本実施の形態では、第１の通信方式及び第２の通信方式の各々は、無線通信方式である。再生装置２Ａは、さらに、第１の通信方式及び第２の通信方式の各々の無線通信帯域が同一である場合に、音楽情報に基づいて、第２の通信部１８による通信モードを、低速通信モード及び低速通信モードよりも通信速度が高速な高速通信モードのいずれかに切り替える通信制御部３２Ａを備える。
【００６４】
これによれば、第１の通信方式及び第２の通信方式の各々の無線通信帯域が同一である場合には、第１の通信部１０で送受信する電波と第２の通信部１８で送受信する電波とが互いに干渉することにより、音楽データの再生及び動画データの再生が正常に行われないおそれが生じる。そこで、通信制御部３２Ａは、音楽情報に基づいて、第２の通信部１８による通信モードを低速通信モード及び高速通信モードのいずれかに切り替えるので、第１の通信部１０で送受信する電波と第２の通信部１８で送受信する電波とが互いに干渉するのを抑制することができる。その結果、音楽データの再生及び動画データの再生を安定して行うことができる。
【００６５】
また、本実施の形態において、通信制御部３２Ａは、音楽データが再生中である場合は、第２の通信部１８の通信モードを低速通信モードに切り替え、音楽データが再生停止中である場合は、第２の通信部１８の通信モードを高速通信モードに切り替える。
【００６６】
これによれば、音楽データが再生中である場合は、第１の通信部１０で送受信する電波と第２の通信部１８で送受信する電波とが互いに干渉する可能性が高くなる。そのため、音楽データが再生中である場合は、第２の通信部１８の通信モードを低速通信モードに切り替えることにより、第１の通信部１０で送受信する電波と第２の通信部１８で送受信する電波とが互いに干渉するのを抑制することができる。一方、音楽データが再生停止中である場合は、第１の通信部１０で送受信する電波と第２の通信部１８で送受信する電波とが互いに干渉する可能性が低くなる。そのため、音楽データが再生停止中である場合は、第２の通信部１８の通信モードを高速通信モードに切り替えることにより、動画データの検索処理及び受信処理等をスムーズに行うことができる。
【００６７】
（実施の形態３）
［３−１．再生装置の構成］
次に、図７を参照しながら、実施の形態３に係る再生装置２Ｂの構成について説明する。図７は、実施の形態３に係る再生装置２Ｂの構成を示すブロック図である。
【００６８】
図７に示すように、本実施の形態の再生装置２Ｂでは、再生制御部４Ｂの通信制御部３２Ｂの処理が上記実施の形態２と異なっている。
【００６９】
通信制御部３２Ｂは、第１の通信方式及び第２の通信方式の各々の無線通信帯域が同一である場合に、音楽情報記憶部１２に記憶された音楽情報（再生位置情報）に基づいて、第２の通信部１８による通信モードを、低速通信モード及び高速通信モードのいずれかに切り替える。
【００７０】
具体的には、通信制御部３２Ｂは、音楽データの再生位置が再生開始位置（オーディオトラックの先頭位置）である場合には、第２の通信部１８の通信モードを低速通信モードに切り替える。一方、通信制御部３２Ｂは、音楽データの再生位置が再生終了位置（オーディオトラックの末尾位置）である場合には、第２の通信部１８の通信モードを高速通信モードに切り替える。
【００７１】
［３−２．再生装置の動作］
次に、図８を参照しながら、実施の形態３に係る再生装置２Ｂの動作について説明する。図８は、実施の形態３に係る再生装置２Ｂの動作の流れを示すフローチャートである。
【００７２】
図８に示すように、まず、上記実施の形態１と同様に、ステップＳ１０１〜Ｓ１０６が実行される。ステップＳ１０６において、第２の通信部１８がネットワークに接続されている場合には（Ｓ１０６でＹＥＳ）、通信制御部３２Ｂは、第１の通信方式及び第２の通信方式の各々の無線通信帯域が同一であるか否かを判定する（Ｓ３０１）。
【００７３】
第１の通信方式及び第２の通信方式の各々の無線通信帯域が同一である場合には（Ｓ３０１でＹＥＳ）、通信制御部３２Ｂは、音楽情報記憶部１２に記憶された音楽情報に基づいて、音楽データの再生位置が再生開始位置及び再生終了位置のいずれであるか否かを判定する（Ｓ３０２）。
【００７４】
音楽データの再生位置が再生開始位置である場合には（Ｓ３０２で「再生開始位置」）、通信制御部３２Ｂは、第２の通信部１８の通信モードを低速通信モードに切り替える（Ｓ３０３）。その後、上記実施の形態１と同様に、ステップＳ１０７〜Ｓ１１１が実行される。すなわち、第２の通信部１８は、音楽データの再生中は、低速通信モードでサーバ装置２８との間で通信を行う。
【００７５】
ステップＳ３０２に戻り、音楽データの再生位置が再生終了位置である場合には（Ｓ３０２で「再生終了位置」）、通信制御部３２Ｂは、第２の通信部１８の通信モードを高速通信モードに切り替える（Ｓ３０４）。その後、上記実施の形態１と同様に、ステップＳ１０７〜Ｓ１１１が実行される。すなわち、第２の通信部１８は、音楽データの再生停止中は、高速通信モードでサーバ装置２８との間で通信を行う。
【００７６】
ステップＳ３０１に戻り、第１の通信方式及び第２の通信方式の各々の無線通信帯域が同一でない場合には（Ｓ３０１でＮＯ）、通信制御部３２Ｂは、第２の通信部１８の通信モードを高速通信モードに切り替える（Ｓ３０４）。その後、上記実施の形態１と同様に、ステップＳ１０７〜Ｓ１１１が実行される。
【００７７】
［３−３．効果］
上述したように、本実施の形態では、通信制御部３２Ｂは、音楽データの再生位置が再生開始位置である場合は、第２の通信部１８の通信モードを低速通信モードに切り替え、音楽データの再生位置が再生終了位置である場合は、第２の通信部１８の通信モードを高速通信モードに切り替える。
【００７８】
これによれば、音楽データの再生位置が再生開始位置である場合は、音楽データがこれから再生されるため、第１の通信部１０で送受信する電波と第２の通信部１８で送受信する電波とが互いに干渉する可能性が高くなる。そのため、音楽データの再生位置が再生開始位置である場合は、第２の通信部１８の通信モードを低速通信モードに切り替えることにより、第１の通信部１０で送受信する電波と第２の通信部１８で送受信する電波とが互いに干渉するのを抑制することができる。一方、音楽データの再生位置が再生終了位置である場合は、音楽データの再生が間もなく停止するため、第１の通信部１０で送受信する電波と第２の通信部１８で送受信する電波とが互いに干渉する可能性が低くなる。そのため、音楽データの再生位置が再生終了位置である場合は、第２の通信部１８の通信モードを高速通信モードに切り替えることにより、動画データの検索処理及び受信処理等をスムーズに行うことができる。
【００７９】
（実施の形態４）
［４−１．再生装置の構成］
次に、図９を参照しながら、実施の形態４に係る再生装置２Ｃの構成について説明する。図９は、実施の形態４に係る再生装置２Ｃの構成を示すブロック図である。
【００８０】
図９に示すように、本実施の形態の再生装置２Ｃでは、再生制御部４Ｃの通信制御部３２Ｃの処理が上記実施の形態２と異なっている。
【００８１】
通信制御部３２Ｃは、第１の通信方式及び第２の通信方式の各々の無線通信帯域が同一である場合に、音楽データの再生状態に基づいて、第２の通信部１８による通信モードを、低速通信モード及び高速通信モードのいずれかに切り替える。
【００８２】
具体的には、通信制御部３２Ｃは、第１の通信部１０で受信した音楽データのバッファアンダーフローを検出した場合には、第２の通信部１８の通信モードを低速通信モードに切り替える。一方、通信制御部３２Ｃは、第１の通信部１０で受信した音楽データのバッファアンダーフローを検出しない場合には、第２の通信部１８の通信モードを高速通信モードに切り替える。
【００８３】
［４−２．再生装置の動作］
次に、図１０を参照しながら、実施の形態４に係る再生装置２Ｃの動作について説明する。図１０は、実施の形態４に係る再生装置２Ｃの動作の流れを示すフローチャートである。
【００８４】
図１０に示すように、まず、上記実施の形態１と同様に、ステップＳ１０１〜Ｓ１０６が実行される。ステップＳ１０６において、第２の通信部１８がネットワークに接続されている場合には（Ｓ１０６でＹＥＳ）、通信制御部３２Ｃは、第１の通信方式及び第２の通信方式の各々の無線通信帯域が同一であるか否かを判定する（Ｓ４０１）。
【００８５】
第１の通信方式及び第２の通信方式の各々の無線通信帯域が同一である場合には（Ｓ４０１でＹＥＳ）、通信制御部３２Ｃは、第１の通信部１０で受信した音楽データに基づいて、音楽データのバッファアンダーフローが検出されたか否かを判定する（Ｓ４０２）。
【００８６】
音楽データのバッファアンダーフローが検出された場合には（Ｓ４０２でＹＥＳ）、通信制御部３２Ｃは、第２の通信部１８の通信モードを低速通信モードに切り替える（Ｓ４０３）。その後、上記実施の形態１と同様に、ステップＳ１０７〜Ｓ１１１が実行される。なお、ステップＳ１０７以降で、音楽データのバッファアンダーフローが一定期間検出されない場合には、通信制御部３２Ｃは、第２の通信部１８の通信モードを低速通信モードから高速通信モードに切り替えてもよい。
【００８７】
ステップＳ４０２に戻り、音楽データのバッファアンダーフローが検出された場合には（Ｓ４０２でＮＯ）、通信制御部３２Ｃは、第２の通信部１８の通信モードを高速通信モードに切り替える（Ｓ４０４）。その後、上記実施の形態１と同様に、ステップＳ１０７〜Ｓ１１１が実行される。
【００８８】
ステップＳ４０１に戻り、第１の通信方式及び第２の通信方式の各々の無線通信帯域が同一でない場合には（Ｓ４０１でＮＯ）、通信制御部３２Ｃは、第２の通信部１８の通信モードを高速通信モードに切り替える（Ｓ４０４）。その後、上記実施の形態１と同様に、ステップＳ１０７〜Ｓ１１１が実行される。
【００８９】
［４−３．効果］
上述したように、本実施の形態では、通信制御部３２Ｃは、第１の通信部１０で受信した音楽データのバッファアンダーフローを検出した場合には、第２の通信部１８の通信モードを低速通信モードに切り替える。
【００９０】
これによれば、第１の通信部１０で受信した音楽データのバッファアンダーフローが検出された場合には、音楽データの再生が途切れるおそれがある。そのため、第１の通信部１０で受信した音楽データのバッファアンダーフローが検出された場合には、第２の通信部１８の通信モードを低速通信モードに切り替えることにより、音楽データの再生が途切れるのを抑制することができる。
【００９１】
（実施の形態５）
［５−１．再生装置の構成］
次に、図１１を参照しながら、実施の形態５に係る再生装置２Ｄの構成について説明する。図１１は、実施の形態５に係る再生装置２Ｄの構成を示すブロック図である。
【００９２】
図１１に示すように、本実施の形態の再生装置２Ｄでは、再生制御部４Ｄの通信制御部３２Ｄの処理が上記実施の形態２と異なっている。
【００９３】
通信制御部３２Ｄは、第１の通信部１０が音楽データを端末装置２６から受信する前に、１以上の音楽情報が音楽情報記憶部１２に予め記憶されている場合には、第２の通信部１８の通信モードを高速通信モードに切り替え、検索式をサーバ装置２８に送信するように第２の通信部１８を制御する。
【００９４】
なお、例えば第１の通信部１０が音楽データを端末装置２６から受信する前に、例えばフォルダリスト（音楽アルバムの全収録曲に関する音楽情報）を端末装置２６から受信することにより、フォルダリストに含まれる１以上の音楽データに関する音楽情報が音楽情報記憶部１２に予め記憶される。
【００９５】
また、通信制御部３２Ｄは、第２の通信部１８が検索結果をサーバ装置２８から受信した場合には、第２の通信部１８の通信モードを高速通信モードから低速通信モードに切り替え、音楽データを端末装置２６から受信するように第１の通信部１０を制御する。
【００９６】
［５−２．再生装置の動作］
次に、図１２を参照しながら、実施の形態５に係る再生装置２Ｄの動作について説明する。図１２は、実施の形態５に係る再生装置２Ｄの動作の流れを示すフローチャートである。
【００９７】
図１２に示すように、まず、上記実施の形態１と同様にステップＳ１０１が実行された後に、第１の通信部１０は、音楽情報（例えばフォルダリスト）を端末装置２６から受信する（Ｓ５０１）。第１の通信部１０は、受信した音楽情報を音楽情報記憶部１２に出力する。
【００９８】
音楽情報記憶部１２は、第１の通信部１０からの音楽情報を記憶する（Ｓ５０２）。検索処理部１６は、第２の通信部１８がネットワークに接続されているか否かを判定する（Ｓ５０３）。第２の通信部１８がネットワークに接続されていない場合には（Ｓ５０３でＮＯ）、上述したステップＳ５０１に戻る。
【００９９】
第２の通信部１８がネットワークに接続されている場合には（Ｓ５０３でＹＥＳ）、通信制御部３２Ｄは、第２の通信部１８の通信モードを高速通信モードに切り替える（Ｓ５０４）。その後、上記実施の形態１と同様に、ステップＳ１０７〜Ｓ１１０が実行される。すなわち、第２の通信部１８は、音楽データの再生前に、高速通信モードでサーバ装置２８との間で通信を行う。
【０１００】
ステップＳ１１０の後に、通信制御部３２Ｄは、第２の通信部１８の通信モードを高速通信モードから低速通信モードに切り替える（Ｓ５０５）。第１の通信部１０は、音楽情報記憶部１２に予め記憶された音楽情報に対応する音楽データを端末装置２６から受信する（Ｓ５０６）。制御部３０は、音楽情報記憶部１２に記憶された音楽情報及び検索結果を表示部６に表示させる（Ｓ５０７）。音楽再生部１４は、第１の通信部１０からの音楽データを再生する（Ｓ５０８）。これにより、第２の通信部１８の通信モードが低速通信モードに切り替えられた状態で、音楽データの再生が行われる。
【０１０１】
［５−３．効果］
上述したように、本実施の形態では、第１の通信方式及び第２の通信方式の各々は、無線通信方式である。再生装置２Ｄは、さらに、第１の通信部１０及び第２の通信部１８の各々を制御する通信制御部３２Ｄを備える。通信制御部３２Ｄは、第１の通信部１０が音楽データを端末装置２６から受信する前に、音楽情報が音楽情報記憶部１２に予め記憶されている場合には、第２の通信部１８の通信モードを高速通信モードに切り替え、検索式を送信するように第２の通信部１８を制御する。また、通信制御部３２Ｄは、第２の通信部１８が検索結果を受信した場合には、第２の通信部１８の通信モードを高速通信モードよりも通信速度が低速な低速通信モードに切り替え、音楽データを端末装置２６から受信するように第１の通信部１０を制御する。
【０１０２】
これによれば、音楽データの再生前に、第２の通信部１８は、高速通信モードで通信を行う。これにより、第１の通信部１０で送受信する電波と第２の通信部１８で送受信する電波とが互いに干渉するのを抑制することができ、動画データの検索処理をスムーズに行うことができる。また、音楽データの再生中に、第２の通信部１８は、低速通信モードで通信を行う。これにより、第１の通信部１０で送受信する電波と第２の通信部１８で送受信する電波とが互いに干渉するのを抑制することができる。
【０１０３】
（変形例等）
以上のように、本出願において開示する技術の例示として、上記各実施の形態を説明した。しかしながら、本開示における技術は、これに限定されず、適宜、変更、置き換え、付加、省略などを行った実施の形態にも適用可能である。また、上記各実施の形態で説明した各構成要素を組み合わせて、新たな実施の形態とすることも可能である。
【０１０４】
そこで、以下、他の実施の形態を例示する。
【０１０５】
上記各実施の形態では、再生制御部４（４Ａ，４Ｂ，４Ｃ，４Ｄ）が第１の通信部１０、第２の通信部１８及び通信制御部３２（３２Ａ，３２Ｂ，３２Ｃ，３２Ｄ）を有するようにしたが、これに限定されず、第１の通信部１０、第２の通信部１８及び通信制御部３２（３２Ａ，３２Ｂ，３２Ｃ，３２Ｄ）を再生制御部４（４Ａ，４Ｂ，４Ｃ，４Ｄ）と別構成にしてもよい。
【０１０６】
また、上記各実施の形態では、ユーザは、リモートコントローラを用いて音楽データの再生を操作したが、これに限定されず、例えば端末装置２６を用いて音楽データの再生を操作してもよい。例えば、ユーザが端末装置２６の表示部に表示された再生ボタン等をダブルタップすることにより、再生画面３４に表示された、動画情報４４ａ〜４４ｄを選択するためのカーソルが右（又は左）に移動するようにしてもよい。
【０１０７】
また、上記各実施の形態では、検索式（検索データ）は、音楽データに関連する動画データを検索するためのデータとしたが、これに限定されず、例えば曲の歌詞又はアーティストの活動予定等を検索するためのデータとしてもよい。
【０１０８】
なお、上記各実施の形態において、各構成要素は、専用のハードウェアで構成されるか、各構成要素に適したソフトウェアプログラムを実行することによって実現されてもよい。各構成要素は、ＣＰＵ又はプロセッサ等のプログラム実行部が、ハードディスク又は半導体メモリなどの記録媒体に記録されたソフトウェアプログラムを読み出して実行することによって実現されてもよい。
【０１０９】
また、上記各実施の形態に係る再生装置２（２Ａ，２Ｂ，２Ｃ，２Ｄ）の機能の一部又は全てを、ＣＰＵ等のプロセッサがプログラムを実行することにより実現してもよい。
【０１１０】
以上のように、本開示における技術の例示として、実施の形態を説明した。そのために、添付図面及び詳細な説明を提供した。
【０１１１】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１２】
また、上述の実施の形態は、本開示における技術を例示するためのものであるから、請求の範囲又はその均等の範囲において種々の変更、置き換え、付加、省略などを行うことができる。
【産業上の利用可能性】
【０１１３】
本開示の再生装置は、例えば音楽を再生するためのオーディオプレーヤ等として適用可能である。
【符号の説明】
【０１１４】
２，２Ａ，２Ｂ，２Ｃ，２Ｄ  再生装置
４，４Ａ，４Ｂ，４Ｃ，４Ｄ  再生制御部
６  表示部
８  音声出力部
１０  第１の通信部
１２  音楽情報記憶部
１４  音楽再生部
１６  検索処理部
１８  第２の通信部
２０  動画再生部
２２  受付部
２４  コントローラ
２６  端末装置
２８  サーバ装置
３０  制御部
３２，３２Ａ，３２Ｂ，３２Ｃ，３２Ｄ  通信制御部
３４，３４Ａ  再生画面
３６  音楽情報表示領域
３８，４６  曲情報
４０  シークバー
４２，４２Ａ  検索結果表示領域
４４ａ，４４ｂ，４４ｃ，４４ｄ  動画情報
４８  再生時間
５０  サムネイル
５２  メッセージ
【手続補正２】
【補正対象書類名】特許請求の範囲
【補正対象項目名】全文
【補正方法】変更
【補正の内容】
【特許請求の範囲】
【請求項１】
音楽データを再生するための再生装置であって、
第１の通信方式で外部機器と通信する第１の通信部であって、前記音楽データ及び当該音楽データの属性を示す音楽情報を前記外部機器から受信する第１の通信部と、
前記第１の通信部で受信した前記音楽情報を記憶する音楽情報記憶部と、
前記第１の通信部で受信した前記音楽データを再生する音楽再生部と、
前記音楽情報に基づいて、前記音楽データに関連する情報を検索するための検索データを生成する検索データ生成部と、
前記第１の通信方式とは異なる第２の通信方式でネットワークを介して通信する第２の通信部であって、前記検索データを送信し、前記検索データに応じた検索結果を受信する第２の通信部と、
前記第２の通信部で受信した前記検索結果を出力する検索結果出力部と、を備える
再生装置。
【請求項２】
前記検索結果出力部は、前記検索結果を表示部に出力して表示させる
請求項１に記載の再生装置。
【請求項３】
前記検索データは、前記音楽データに関連する動画データを検索するためのデータであり、
前記検索結果は、前記動画データの属性を示す動画情報を含み、
前記第２の通信部は、前記検索結果に含まれる前記動画情報に対応する前記動画データをサーバ装置から受信し、
前記再生装置は、さらに、前記第２の通信部で受信した前記動画データを再生して前記表示部に表示させる動画再生部を備える
請求項２に記載の再生装置。
【請求項４】
前記再生装置は、さらに、ユーザの操作を受け付ける受付部を備え、
前記表示部に表示された前記検索結果のうち前記受付部により特定の動画情報を選択する操作が受け付けられた際に、前記第２の通信部は、前記特定の動画情報に対応する特定の動画データを前記サーバ装置から受信し、
前記動画再生部は、前記第２の通信部で受信した前記特定の動画データを再生して前記表示部に表示させる
請求項３に記載の再生装置。
【請求項５】
前記第１の通信方式及び前記第２の通信方式の各々は、無線通信方式であり、
前記再生装置は、さらに、前記第１の通信方式及び前記第２の通信方式の各々の無線通信帯域が同一である場合に、前記音楽情報又は前記音楽データの再生状態に基づいて、前記第２の通信部による通信モードを、低速通信モード及び前記低速通信モードよりも通信速度が高速な高速通信モードのいずれかに切り替える通信制御部を備える
請求項１〜４のいずれか１項に記載の再生装置。
【請求項６】
前記通信制御部は、前記音楽データが再生中である場合は、前記第２の通信部の通信モードを前記低速通信モードに切り替え、前記音楽データが再生停止中である場合は、前記第２の通信部の通信モードを前記高速通信モードに切り替える
請求項５に記載の再生装置。
【請求項７】
前記通信制御部は、前記音楽データの再生位置が再生開始位置である場合は、前記第２の通信部の通信モードを前記低速通信モードに切り替え、前記音楽データの再生位置が再生終了位置である場合は、前記第２の通信部の通信モードを前記高速通信モードに切り替える
請求項５に記載の再生装置。
【請求項８】
前記通信制御部は、前記第１の通信部で受信した前記音楽データのバッファアンダーフローを検出した場合には、前記第２の通信部の通信モードを前記低速通信モードに切り替える
請求項５に記載の再生装置。
【請求項９】
前記第１の通信方式及び前記第２の通信方式の各々は、無線通信方式であり、
前記再生装置は、さらに、前記第１の通信部及び前記第２の通信部の各々を制御する通信制御部を備え、
前記通信制御部は、
前記第１の通信部が前記音楽データを前記外部機器から受信する前に、前記音楽情報が前記音楽情報記憶部に予め記憶されている場合には、前記第２の通信部の通信モードを高速通信モードに切り替え、前記検索データを送信するように前記第２の通信部を制御し、
前記第２の通信部が前記検索結果を受信した場合には、前記第２の通信部の通信モードを前記高速通信モードよりも通信速度が低速な低速通信モードに切り替え、前記音楽データを前記外部機器から受信するように前記第１の通信部を制御する
請求項１〜４のいずれか１項に記載の再生装置。
【請求項１０】
音楽データを再生するための再生装置の制御方法であって、
（ａ）第１の通信方式で外部機器と通信することにより、前記音楽データ及び当該音楽データの属性を示す音楽情報を前記外部機器から受信するステップと、
（ｂ）前記（ａ）で受信した前記音楽情報を音楽情報記憶部に記憶させるステップと、
（ｃ）前記（ａ）で受信した前記音楽データを再生するステップと、
（ｄ）前記音楽情報に基づいて、前記音楽データに関連する情報を検索するための検索データを生成するステップと、
（ｅ）前記第１の通信方式とは異なる第２の通信方式でネットワークを介して通信することにより、前記検索データを送信し、前記検索データに応じた検索結果を受信するステップと、
（ｆ）前記（ｅ）で受信した前記検索結果を出力するステップと、を含む
再生装置の制御方法。
【手続補正３】
【補正対象書類名】図面
【補正対象項目名】全図
【補正方法】変更
【補正の内容】
【図１】
2020183749.tif 000015
【図２】
2020183749.tif 000016
【図３】
2020183749.tif 000017
【図４】
2020183749.tif 000018
【図５】
2020183749.tif 000019
【図６】
2020183749.tif 000020
【図７】
2020183749.tif 000021
【図８】
2020183749.tif 000022
【図９】
2020183749.tif 000023
【図１０】
2020183749.tif 000024
【図１１】
2020183749.tif 000025
【図１２】
2020183749.tif 000026
【国際調査報告】
2020183749.tif 000027
2020183749.tif 000028
2020183749.tif 000029
2020183749.tif 000030